(57)【要約】【課題】  地域移動中に端末機の位置情報を利用して現在位置を確認し、放送チャンネルを継続して維持する装置及び方法を提供する。【解決手段】  同一の放送チャンネルが地域ごとに異なる放送周波数でサービスされる場合、地域移動中に同一の放送チャンネルが維持されるように、基地局から周期的に受信される位置情報を放送チャンネル制御装置に提供する移動通信端末機と、入力された放送周波数で放送サービスを提供し、更に放送周波数を放送チャンネル制御装置に提供する放送装置とを備え、放送チャンネル制御装置は、同一の放送チャンネルに対して地域ごとに異なる放送周波数を対応させて貯蔵し、移動通信端末機と放送装置から受信される位置情報と放送周波数を貯蔵し、新たに位置情報を受信する度に以前の位置情報と現在の位置情報とを比較して地域移動がある場合、新たな地域で同一の放送チャンネルを提供する新たな放送周波数を放送装置に提供する。【選択図】  図４
2005130505.tif 000002
【特許請求の範囲】
【請求項１】
同一の放送チャンネルに対して地域ごとに異なる放送周波数でサービスする場合、地域移動中に同一の放送チャンネルが維持されるように制御するための装置であって、
基地局から周期的に受信される位置情報を放送チャンネル制御装置に提供する移動通信端末機と、
放送周波数の入力があると、入力された放送周波数で放送サービスを提供すると共に前記放送周波数を前記放送チャンネル制御装置に提供する放送装置と
を備え、
前記放送チャンネル制御装置は、前記移動通信端末機と前記放送装置と接続され、前記同一の放送チャンネルに対して地域ごとに異なる放送周波数を対応させて貯蔵し、前記移動通信端末機と前記放送装置から受信される位置情報と放送周波数を貯蔵し、新たに前記位置情報を受信する度に以前の位置情報と現在の位置情報とを比較して地域移動が感知されると、新たな地域で現在サービスされる同一の放送チャンネルを提供するための新たな放送周波数を前記放送装置に提供することを特徴とする装置。
【請求項２】
前記位置情報は、前記基地局から前記移動通信端末機に伝送される基地局コード値のうちの一つ、またはＧＰＳ信号の受信を受けることを特徴とする請求項１記載の装置。
【請求項３】
前記放送チャンネル制御装置は、地域別に共通化された基地局コード値を貯蔵し、同一の放送チャンネルに対して前記地域ごとに異なる放送周波数を対応させて貯蔵することを特徴とする請求項１記載の装置。
【請求項４】
前記放送チャンネル制御装置は、地域区分のための分岐点となる地域の基地局コード値を貯蔵し、同一の放送チャンネルに対して前記地域ごとに異なる放送周波数を対応させて貯蔵することを特徴とする請求項１記載の装置。
【請求項５】
前記放送チャンネル制御装置は、前記以前の位置情報に含まれている基地局コード値と前記現在の位置情報に含まれている基地局コード値とを比較し、地域を示す特定コード値が同一でない場合は地域移動があることを感知することを特徴とする請求項２記載の装置。
【請求項６】
放送サービス機能を備える移動通信端末機であって、
基地局から位置情報を受信する無線部と、
同一の放送チャンネルに対して各地域ごとに異なる放送周波数を対応させて貯蔵し、前記受信した位置情報と現在放送周波数を貯蔵するメモリと、
入力される放送周波数で放送サービスを提供し、前記メモリに現在サービスされる放送周波数を提供するラジオモジュールと、
地域移動が感知されると、新たな地域で前記現在サービスされる同一の放送チャンネルを提供するための新たな放送周波数を前記ラジオモジュールに提供する制御部とを備えることを特徴とする装置。
【請求項７】
前記位置情報は、前記移動通信端末機が前記基地局から受信する基地局コード値に含まれており、あるいはＧＰＳ信号として受信を受けることを特徴とする請求項６記載の装置。
【請求項８】
前記メモリは、地域別に共通化された基地局コード値を貯蔵し、同一の放送チャンネルに対して前記地域ごとに異なる放送周波数を対応させて貯蔵することを特徴とする請求項６記載の装置。
【請求項９】
前記メモリは、地域区分のための分岐点となる地域の基地局コード値を貯蔵し、同一の放送チャンネルに対して前記地域ごとに異なる放送周波数を対応させて貯蔵することを特徴とする請求項６記載の装置。
【請求項１０】
前記制御部は、前記以前の位置情報に含まれている基地局コード値と前記現在の位置情報に含まれている基地局コード値とを比較し、地域を示す特定コード値が同一でない場合に地域移動があることを感知することを特徴とする請求項７記載の装置。
【請求項１１】
基地局から周期的に位置情報を受信する移動通信端末機及び放送サービスを提供するための放送装置と接続される放送チャンネル制御装置で地域移動がある場合、同一の放送チャンネルを維持するように制御するための方法であって、
同一の放送チャンネルに対して各地域ごとに異なる放送周波数を対応させて貯蔵する第１過程と、
前記移動通信端末機から位置情報と前記放送装置から放送周波数が受信されると、これらそれぞれを貯蔵する第２過程と、
新たに前記位置情報を受信する度に以前の位置情報と現在の位置情報とを比較して地域移動が感知されると、新たな地域で現在サービスされる同一の放送チャンネルを提供するための新たな放送周波数を前記放送装置に提供する第３過程とからなることを特徴とする方法。
【請求項１２】
前記第３過程は、前記地域移動が感知されない場合、前記第２過程を遂行して継続して前記移動通信端末機から位置情報を受信する過程であることを特徴とする請求項１１記載の方法。
【請求項１３】
前記位置情報は、前記基地局から前記移動通信端末機に伝送される基地局コード値のうちの一つ、またはＧＰＳ信号の受信を受けることを特徴とする請求項１１記載の方法。
【請求項１４】
前記第３過程は、前記以前の位置情報と前記現在の位置情報とを比較して地域移動を感知する場合、以前の位置情報に含まれている基地局コード値と現在の位置情報に含まれている基地局コード値とを比較し、地域を示す特定コード値が同一でない場合は地域移動があることを感知する過程であることを特徴とする請求項１３記載の方法。
【請求項１５】
ラジオ機能を遂行するラジオモジュールを備え、基地局から周期的に位置情報を受信する移動通信端末機において、
同一の放送チャンネルに対して各地域ごとに異なる放送周波数を対応させて貯蔵し、前記受信した位置情報と使用者から入力される放送周波数を貯蔵する第１過程と、
新たに前記位置情報を受信する度に以前の位置情報と現在の位置情報とを比較して地域移動があることを感知すれば、新たな地域で現在サービスされる同一の放送チャンネルを提供するための新たな放送周波数を前記ラジオモジュールに提供して新たな放送周波数で放送サービスを提供する第２過程とからなることを特徴とする方法。
【請求項１６】
前記第２過程は、前記地域移動がない場合に第１過程の遂行後に継続して以前の位置情報と現在の位置情報とを比較する過程であることを特徴とする請求項１５記載の方法。
【請求項１７】
前記位置情報は、前記基地局から前記移動通信端末機に伝送される基地局コード値のうちの一つ、またはＧＰＳ信号の受信を受けることを特徴とする請求項１５記載の方法。
【発明の詳細な説明】
【技術分野】
【０００１】
本発明は放送チャンネルの制御装置及び方法に関して、特に同一の放送チャンネルに対して地域ごとに異なる放送周波数でサービスする場合、移動中に現在使用者が聴取しているラジオまたはテレビ放送チャンネルを維持することができる装置及び方法に関するものである。
【背景技術】
【０００２】
一般に車両を運行する使用者が同一の放送チャンネルに対する放送周波数の範囲が変化されるだけの長距離を運行する場合、現在は、使用者が初めに設定した放送チャンネルの放送を聴取するために、現在の放送周波数を運行中の地域で受信が良好な放送周波数に調整して聴取する。すなわち、従来では上記のように同一の放送チャンネルに対して地域ごとに異なる周波数チャンネルに放送サービスを行う場合、運行地域の移動に応じて使用者が直接にラジオチャンネルを調節した。したがって、運行地域で使用者が現在聴取している放送チャンネルに対する放送周波数を記憶している場合、直接に放送周波数を入力しなければ現在聴取している放送が聴取できない。しかしながら、たいていの使用者は同一の放送チャンネルに対して運行地域ごとに異なる放送周波数を記憶すべきであり、また一々に使用者が記憶している放送周波数を再入力すべきであるという不便さがあった。このような不便さを改善するために、韓国特許公開公報第１９９８-０１５４１５号に現在地域で一番受信が良好な放送周波数を自動に選局できるようにする方法を開示している。上記特許公開公報を参照すれば、現在運行中の地域でＧＰＳ受信部から入力を受ける制御部が貯蔵部のデータ化した放送周波数を検出して、現在運行中の地域に適合した放送周波数を自動に選定することが可能なようにする。このようなサービスのためには車両に別途のＧＰＳが装着されなければならない。また、このように現在運行中の地域に適合した放送周波数を自動選定しても選定された放送周波数に対応する放送チャンネルが既存に設定された放送チャンネルと同一の放送チャンネルを選定するのではなく、現在地域で受信率が良好な放送周波数に選定することである。すなわち、その地域で一番受信状態が良好な放送局を探すことである。
【０００３】
上述したように、従来では運行中のように地域移動がある場合、同一の放送チャンネルの放送を聴取するためには使用者が同一の放送チャンネルに対する該当地域での放送周波数を記憶して一々に放送周波数を変更して入力しなければならないという不便さがある。このような不便さを改善するために、韓国特許公開公報第１９９８-０１５４１５号では車両に装着されたＧＰＳ機能を利用し、その地域で一番受信が良好な放送チャンネルを選定する方法を提案している。このため、追加的な装置のＧＰＳを車両に備えなければならない。また、その地域で一番良好な放送チャンネルを選定することになるので、使用者が初めに設定した放送チャンネルが維持されない場合には使用者が一々に放送チャンネルを選定すべきであるという不便さがあった。
【特許文献１】韓国特許公開公報第１９９８-０１５４１５号
【発明の開示】
【発明が解決しようとする課題】
【０００４】
したがって本発明の目的は、地域移動中に移動通信端末機の位置情報を利用して現在位置を確認し、使用者が最初に設定した放送チャンネルを継続して維持できるように制御するための装置及び方法を提供することにある。
【課題を解決するための手段】
【０００５】
上記した目的を達成するために本発明は、同一の放送チャンネルに対して地域ごとに異なる放送周波数でサービスする場合、地域移動中に同一の放送チャンネルが維持されるように制御するための装置であって、基地局から周期的に受信される位置情報を放送チャンネル制御装置に提供する移動通信端末機と、放送周波数の入力があると、入力された放送周波数で放送サービスを提供すると共に前記放送周波数を前記放送チャンネル制御装置に提供する放送装置とを備え、前記放送チャンネル制御装置は、前記移動通信端末機と前記放送装置と接続され、前記同一の放送チャンネルに対して地域ごとに異なる放送周波数を対応させて貯蔵し、前記移動通信端末機と前記放送装置から受信される位置情報と放送周波数を貯蔵し、新たに前記位置情報を受信する度に以前の位置情報と現在の位置情報とを比較して地域移動が感知されると、新たな地域で現在サービスされる同一の放送チャンネルを提供するための新たな放送周波数を前記放送装置に提供することを特徴とする。
【０００６】
また本発明は、基地局から周期的に位置情報を受信する移動通信端末機及び放送サービスを提供するための放送装置と接続される放送チャンネル制御装置で地域移動がある場合、同一の放送チャンネルを維持するように制御するための方法であって、同一の放送チャンネルに対して各地域ごとに異なる放送周波数を対応させて貯蔵する第１過程と、前記移動通信端末機から位置情報と前記放送装置から放送周波数が受信されると、これらそれぞれを貯蔵する第２過程と、新たに前記位置情報を受信する度に以前の位置情報と現在の位置情報とを比較して地域移動が感知されると、新たな地域で現在サービスされる同一の放送チャンネルを提供するための新たな放送周波数を前記放送装置に提供する第３過程とからなることを特徴とする。
【発明の効果】
【０００７】
本発明は、長距離旅行や他地域への移動時に聴取または視聴しているラジオ及びテレビジョン(以下、“ＴＶ”)のチャンネルを固定するか、または地域に合う放送局の周波数を探すことができるので、消費者の便利性を増大させ、スポーツ中継や他の希望する放送の固定視聴が地域移動に影響を受けずに可能になる。特に、大地が広い地域ではより効果的な利点がある。
【発明を実施するための最良の形態】
【０００８】
以下、本発明による望ましい実施形態を添付の図面を参照して詳細に説明する。本発明の説明において、関連した公知機能あるいは構成に対する具体的説明が本発明の要旨を不明にする恐れがあると判断される場合、その詳細な説明は省略する。
【０００９】
本発明は同一の放送チャンネルに対して各地域ごとに異なる放送周波数で放送サービスを提供する場合、地域を移動するときに地域移動を認知し、設定された放送周波数を該当地域に対応する放送周波数に変更して放送チャンネルが維持されるように制御する。このために、本発明は従来のＧＰＳシステムを利用する代わりに移動通信端末機が自己位置を認識するように受信される基地局コードを利用して地域移動を認知する。このように本発明は、移動通信端末機が移動する場合、該当セル領域で各基地局との持続的な通信を行って基地局から受信する同期チャンネル(Synchronous Channel)の情報を分析することにより、該当基地局のコードを通じて移動した地域を認識する技術を利用する。
【００１０】
図１を参照して、地域移動による放送周波数を制御するための放送チャンネル制御装置１１０、放送チャンネル制御装置１１０に位置情報を提供する移動通信端末機１２０、及び放送チャンネル制御装置１１０により放送周波数が制御されるラジオ１００の関係を説明する。
【００１１】
図１は、車両用ラジオ１００とこの車両用ラジオ１００の放送周波数を制御するための放送チャンネル制御装置１１０とがインタフェースで接続され、放送チャンネル制御装置１１０と移動通信端末機１２０とがインタフェースで接続されて構成される。まず、使用者により車両用ラジオ１００と放送チャンネル制御装置１１０がパワーオンされ、放送周波数の選択が入力されると車両用ラジオ１００は選択された放送周波数の情報を放送チャンネル制御装置１１０に伝送し、放送チャンネル制御装置１１０は移動通信端末機１２０に位置情報を要請する。この後、移動通信端末機１２０から受信される位置情報と現在の位置情報を継続して比較確認して位置変動がある場合は、設定された放送周波数を現在受信した位置に該当する地域に合う放送周波数に転換して設定する。移動通信端末機１２０は移動しつつ連続的に各基地局と通信を行う。それにより、基地局では特定移動通信端末機１２０の位置が把握でき、移動通信端末機１２０も自分の位置が認識できる。一方、ラジオの周波数は一定範囲では同一である。例えば、韓国の京畿道(Kyunggi-do)地域でＭＢＣ放送局のＦＭラジオ(以下、“ＭＢＣ ＦＭ”と称する)の放送周波数は９１.９MHzである。しかし、使用者が京畿道から釜山(Pusan)へ移動した場合には位置が変化したことを認知して放送チャンネル制御装置１１０は現在位置の釜山の放送チャンネルのＭＢＣ ＦＭに対応する放送周波数を読み出す。このとき、釜山のＭＢＣ ＦＭの放送周波数は８８.９MHzなので、従来から設定されている放送周波数の９１.９MHzを８８.９MHzに変更して設定し、使用者が従来から聴取している放送を続けて聴取可能なようにする。
【００１２】
図２は、本発明の第１実施形態により移動通信端末機１２０と放送チャンネル制御装置１１０とラジオ１００の内部構成図である。これらそれぞれの内部構成と制御過程について、以下により詳細に説明する。
【００１３】
移動通信端末機１２０は、移動通信端末機制御部２１４、キーパッド２１６、無線部２２２、メモリ２２０、及び表示部２１８で構成される。制御部２１４は無線部２２２を通じて受信される同期チャンネル(Sync CH)の情報を分析して該当基地局のコード値を認知し、これを放送チャンネル制御装置１１０に提供する。
【００１４】
基地局のコード値を受信した放送チャンネル制御装置１１０の構成を説明すれば、制御部２１０とメモリ２１２で構成され、図面には示していないが、移動通信端末機１２０とラジオ１００と接続するためのインタフェースを備える。
【００１５】
ラジオ１００から放送周波数情報が受信され、移動通信端末機１２０から基地局のコード値を受信すれば、制御部２１０はメモリ２１２にラジオ１００から受信した放送周波数を現在の放送周波数として貯蔵し、放送周波数に対応する地域を現在地域として貯蔵する。制御部２１０は基地局コード値伝送を要求するメッセージを移動通信端末機１２０に伝送し、これに応答して移動通信端末機１２０から伝送される現在受信した基地局コード値を受信する。次に、制御部２１０は移動通信端末機１２０から受信した基地局コード値が該当する地域を確認する。このとき、基地局コード値を確認する過程は、地域ごとに基地局コード値がその地域を示す特定コードを持っているので、受信した基地局コード値に含まれている地域情報を示す特定コードを分析して該当地域を確認する。このために、放送チャンネル制御装置１１０のメモリ２１２は基地局のコード値に対する地域と、同一のチャンネル、例えばＭＢＣ ＦＭのような一つの放送チャンネルに対するそれぞれ地域ごとに異なる放送周波数を貯蔵する。一例として、一つの放送チャンネルのＭＢＣ ＦＭに対して釜山では放送周波数が８８.９MHzで、大邱(Daegu)では９５.３MHZ、そして浦港(Pohang)では９７.９MHzである。このように、メモリ２１２に各地域に対する放送周波数情報を貯蔵し、地域の移動がある場合にその地域の放送周波数を比較して当初から聴取している周波数と同一の放送局の周波数を探すことである。すなわち、現在３ＧＰＰ規格に示しているＣＤＭＡ-２０００のように、基地局をグループに区分してそれぞれのグループ別に基地局コード値を与えて利用するものである。このように区分された基地局グループは範囲が広いので、現在放送局の周波数カバーレジとほぼ類似する。したがって、基地局グループのコード値に応じて一つの放送チャンネルに対するそれぞれの異なる放送周波数をマッチングさせてメモリ２１２に貯蔵することである。
【００１６】
また、地域を移動するために放送周波数が変わる特定の地域の基地局コード値のみをメモリ２１２に貯蔵し、同一の放送チャンネルに対して貯蔵された基地局コード値ごとに対応する放送周波数を貯蔵する。例えば、地域Ａから地域Ｂに移動する場合または地域Ｂから地域Ａに移動する場合、周波数が変わる分岐点地域の両側基地局コード値を貯蔵していると、もし地域Ａを示す基地局コード値を受信した後、地域Ｂであることを示す基地局コード値が受信されると、制御部２１０は地域移動があることを認知し、地域Ａで使用者が聴取している放送チャンネルと同一の放送チャンネルを提供するために該当放送周波数に変更する。
【００１７】
車両の場合であれば、移動通信端末機１２０及びラジオ１００と相互接続が可能で、地域ごとに放送チャンネルに対応する放送周波数の値がメモリに貯蔵されている放送チャンネル制御装置１１０を装着することにより可能である。また、内蔵ラジオやＴＶを備える移動通信端末機ならば自動的に制御が可能になる。これについては、下記に説明する。それ以外に使用者が希望すると、既にその地域を認識しているので、その地域での放送局周波数をディスプレーすることもできる。一方、制御部２１０は貯蔵された現在地域と確認された受信地域が同一であるかどうかを検査し、同一である場合には移動通信端末機１２０に継続して基地局コード値伝送を要求し、上記の結果、同一でない場合には受信地域の放送周波数のうち現在貯蔵されている放送周波数に対応する放送周波数を読み出す。制御部２１０は読み出された放送周波数情報をラジオ１００に伝送して既存の放送周波数を現在地域で該当する放送周波数に変更するように制御する。
【００１８】
上記した放送チャンネル制御装置１１０から地域ごとに変更される放送周波数情報を受信して地域間移動中の特定放送チャンネルを維持できるラジオ１００の構成を説明する。ラジオ１００は放送を受信するための受信部２０４、受信された放送を出力するための出力部２０６、放送情報をディスプレーするための表示部２０８、放送聴取及び放送受信状態を把握するチューナ２０２、及びラジオ１００の全般的な制御のためのラジオ制御部２００で構成される。使用者により放送聴取のための放送周波数の選択が行われると、ラジオ制御部２００はチューナ２０２へ選択された放送周波数に該当する放送サービスを提供するように制御する。また、ラジオ制御部２００は放送チャンネル制御装置１１０に現在選択された放送周波数情報を提供する。この後、放送チャンネル制御装置１１０から地域移動により変更された放送周波数情報を受信する場合、現在の放送周波数を受信した放送周波数に変更して出力部２０６を通じて放送が出力されるように制御する。
【００１９】
図４は、本発明の第１実施形態により地域移動中にラジオの放送チャンネルが維持されるように制御するための移動通信端末機１２０、放送チャンネル制御装置１１０、及びラジオ１００の信号フローチャートである。以下、ラジオ１００は車両用ラジオ１００と仮定する。
【００２０】
ラジオ１００は、ステップ４００でパワーオンされて使用者から放送周波数の選択有無を検査する。放送サービスのための放送周波数が選択される場合には選択された放送周波数情報を放送チャンネル制御装置１１０にステップ４０２で伝送する。これを受信した放送チャンネル制御装置１１０はステップ４０４でメモリ２１２にラジオ１００から受信した放送周波数を現在の放送周波数として貯蔵し、放送周波数に対応する地域を現在の地域として貯蔵する。その後、ステップ４０６に進んで基地局コード値伝送を要求するメッセージを伝送する。これを受信した移動通信端末機１２０は現在受信した基地局コード値をメモリ２２０から読み出してステップ４１０で現在基地局コード値を放送チャンネル制御装置１１０に伝送する。その後、放送チャンネル制御装置１１０はステップ４１２で移動通信端末機１２０から受信した基地局コード値が該当する地域を確認する。このとき、基地局コード値を確認する過程は地域ごとに基地局コード値がその地域を示す特定コードを持っており、受信した基地局コード値に含まれている地域情報を示す特定コードを分析して該当地域を確認する。その後、ステップ４１４に進んでステップ４０４で貯蔵された現在地域とステップ４１２で確認された受信地域が同一であるかどうかを検査する。同一である場合には、ステップ４０６に進行して移動通信端末機１２０に基地局コード値の伝送を要求し、一方、同一でない場合には、ステップ４１６に進んで受信地域の放送周波数のうち現在貯蔵されている放送周波数に対応する放送周波数を読み出してステップ４１８に進行する。この後、ステップ４２０で放送チャンネル制御装置１１０は変更された放送周波数情報をラジオ１００に伝送し、ステップ４２２でラジオ１００は放送周波数情報を受信した場合にステップ４２４に進んで現在放送周波数を受信した放送周波数に変更し、変更された放送周波数に従う放送を出力する。ステップ４２４からステップ４２６に進行すれば、ラジオ１００がパワーオフ(ＯＦＦ)状態であるかどうかを検査してパワーオフ(ＯＦＦ)されると終了し、パワーオフされないと、放送周波数情報が放送チャンネル制御装置１１０から伝送されることを待機する。
【００２１】
上記した図４は移動通信端末機１２０の外部にラジオ１００やＴＶがある場合であって、移動通信端末機１２０とラジオ１００のような放送装置を接続し、ラジオ１００を制御するための別途の放送チャンネル制御装置１１０が必要である。このような放送チャンネル制御装置１１０は現在使用者が聴取している放送局のチャンネルや周波数を受信して貯蔵し、端末機から基地局コード値を受信して貯蔵する。この貯蔵されている基地局コード値と受信した基地局コード値を継続して比較し、周波数が変わる地域の基地局コード値であれば、現在貯蔵されている放送周波数を変更された地域で対応する放送周波数を探して変更する。それにより、使用者は従来から聴取している放送局を地域の移動によって周波数が変更されても継続して聴取可能であり、使用者が希望する場合、その地域に合う聴取可能な周波数、すなわち放送局も探すことができるようになる。
【００２２】
一方、車両の場合であれば、図２のように別途の放送チャンネル制御装置１１０を備えることにより、地域移動による放送周波数の制御を遂行し、ラジオやＴＶを備える移動通信端末機１２０では移動通信端末機自体的に制御が可能になる。それについて、図３を参照して説明する。図３は、本発明の第２実施形態により放送装置を備える移動通信端末機１２０の内部構成図である。
【００２３】
まず、移動通信端末機１２０はラジオモジュール３１４を備え、制御部３００、無線部３０４、メモリ３０２、及び表示部３０６などで構成される。
【００２４】
制御部３００は移動通信端末機１２０の全般的な動作を制御する。特に、地域移動がある場合に受信される位置情報を利用して放送チャンネルが維持されるように制御する。まず、制御部３００は使用者によりラジオ機能が選択され、放送周波数の入力がある場合、無線部３０４を通じて受信した現在の基地局コード値に対応する地域を現在の地域として、そして前記選択された放送周波数を現在放送周波数としてメモリ３０２に貯蔵する。その後、ラジオチューナ３１２に選択された放送周波数で放送信号を受信するように制御し、受信された放送信号を放送信号デコーダ３１０を介して出力部３０８を通じて出力する。そして、制御部３００は受信される基地局コード値に対応する受信地域と貯蔵された現在地域が同一であるかどうかを検査する。制御部３００は、基地局コード値を確認する過程で地域ごとに基地局コード値がその地域を示す特定コードを持っているので、受信した基地局コード値に含まれている地域情報を示す特定コードを分析して該当地域を確認する。この後、制御部３００は貯蔵された現在地域と確認された受信地域が同一であるかどうかを検査し、同一な場合には無線部３０４を通じて継続して受信される受信地域が現在の地域と同一であるかどうかを検査する。もし、上記の検査結果、同一でないと、メモリ３０２で受信地域の放送周波数のうち貯蔵された現在の放送周波数と同一の放送チャンネルを提供する放送周波数を読み出す。したがって、本発明でメモリ３０２は基地局のコード値に対する地域と同一のチャンネル、例えばＭＢＣ ＦＭのような一つの放送チャンネルに対するそれぞれの地域ごとに異なる放送周波数を貯蔵する。また、制御部３００は現在の放送周波数を読み出した放送周波数に変更し、変更した放送周波数を現在の放送周波数として貯蔵し、受信した受信地域を現在地域として貯蔵する。また、制御部３００は変更された放送周波数で放送信号を受信するためにラジオチューナ３１２を制御し、変更された放送周波数で受信される放送を出力部３０８を通じて出力する。
【００２５】
図３に示したように、移動通信端末機の内部にラジオモジュール３１４が備えられており、地域移動がある場合に放送チャンネルを制御するための過程について、次に図５を参照して説明する。図５は、本発明の第２実施形態により地域移動中に使用者が聴取している放送チャンネルを維持させるための制御フローチャートである。
【００２６】
まず、制御部３００はステップ５００で待機状態を維持し、ステップ５０２で使用者によるラジオ機能の選択有無を確認する。その結果、ラジオ機能が選択された場合はステップ５０４に進行し、制御部３００は使用者により放送周波数の選択があるかどうかを検査し、放送サービスのための放送周波数選択がある場合にはステップ５０６に進行する。ステップ５０６で、制御部３００は無線部３０４を通じて受信した現在の基地局コード値に対応する地域を現在地域として貯蔵し、前記選択された放送周波数を現在放送周波数として貯蔵する。その後、制御部３００はラジオモジュール３１４を通じて選択された放送周波数で放送信号を出力し、ステップ５０８で受信される基地局コード値に対応する受信地域と貯蔵された現在地域が同一であるかどうかを検査する。制御部３００は、基地局コード値を確認する過程で地域ごとに基地局コード値がその地域を示す特定コードを持っているので、受信した基地局コード値に含まれている地域情報を示す特定コードを分析して該当地域を確認する。その後、貯蔵された現在地域と確認された受信地域が同一であるかどうかを検査する。 その結果、同一な場合にはステップ５０８に戻って継続して受信される受信地域が現在の地域と同一であるかどうかを検査する。もし、ステップ５０８でその結果が同一でない場合にはステップ５１０に進行して受信地域の放送周波数のうち貯蔵された現在放送周波数と同一の放送チャンネルを提供する放送周波数を読み出し、ステップ５１２に進行する。ステップ５１２で、制御部３００は現在放送周波数をステップ５１０で読み出した放送周波数に変更してステップ５１４に進行して変更した放送周波数を現在放送周波数として貯蔵し、受信した受信地域を現在地域として貯蔵する。また、制御部３００は変更された放送周波数で放送信号を出力し、ステップ５１６でラジオ機能を解除するかどうかを検査する。その結果、ラジオ機能を解除しない場合にはステップ５０８に進行し、ラジオ機能を解除する場合には終了する。
【００２７】
図５に示したように、端末機内部にラジオやＴＶが装着された場合にはラジオをパワーオンとすれば、現在放送周波数を認識し、現在基地局コード値を無線部３０４から受信して基地局コード値と現在受信放送周波数の情報をメモリ３０２に貯蔵しておく。使用者が移動を始めると、基地局のコード値が変化し始める。同一の放送チャンネルに対する放送周波数が変わる地域の基地局コード値が受信されると、この基地局コードを予めメモリ３０２に貯蔵されている基地局対周波数の値と対照する。そして、現在聴取中の放送局の変わる周波数を読み出し、変わった放送周波数を現在放送周波数として貯蔵して放送を提供する。そして、放送周波数を変更して表示部３０６を通じてディスプレーする。また、現在移動地域で聴取可能な放送局の周波数を表示部３０６を通じてディスプレーすることもできる。
【００２８】
上記したように、本発明は地域間同一の放送チャンネルに対して異なる放送周波数でサービスする場合、移動中の移動通信端末機の位置情報を利用して現在使用者が聴取しているラジオまたはＴＶ放送チャンネルを維持可能なようにする。
【００２９】
一方、上述した本発明の詳細な説明では具体的な実施形態に関して説明したが、多様な変形が本発明の範囲を外れない限り実施可能である。例えば、本発明では放送サービスのための放送装置の実施形態としてラジオを例に挙げたが、ＴＶなどのような放送サービスが可能なすべての放送装置に適用されうる。また、現在ＭＰ３やストリミングサービスのみが可能な端末機は出ているが、ラジオ機能を添付させた製品を提示し、あるいは現在販売されているＴＶフォンに適用させる場合、地域移動時に不便さなしに既存放送またはその地域に合う放送が視聴可能になる。今後、ＤＭＢ(Digital Multimedia Broadcasting)サービスのような次世代の放送サービスの場合も、現在特定の放送局(例えば、韓国のＫＢＳ放送局)で地域(region)別放送を推進中なので、ＤＭＢサービス時にも応用が可能である。その他にも、本出願人が市販している商標名ＭＩＴｓのようなスマートフォンまたはＰＤＡ(Personal Digital Assistant)フォンなどに地域移動時に本発明を適用できる。したがって、本発明の範囲は説明した実施形態に局限して定められてはいけないし、特許請求の範囲だけでなく、この特許請求の範囲と均等なものにより定められなければならない。
【図面の簡単な説明】
【００３０】
【図１】本発明の第１実施形態により位置情報を提供する移動通信端末機と放送チャンネルを制御するための装置及びラジオを示す図である。
【図２】本発明の第１実施形態により移動通信端末機と放送チャンネル制御装置とラジオそれぞれの内部構成図である。
【図３】本発明の第２実施形態によりラジオ機能を備える移動通信端末機の内部構成図である。
【図４】本発明の第１実施形態により、地域移動中にラジオの放送チャンネルが維持されるように制御するための移動通信端末機、放送チャンネル制御装置、及びラジオの信号フローチャートである。
【図５】本発明の第２実施形態により地域移動中に使用者が聴取している放送チャンネルを維持させるための制御フローチャートである。
【符号の説明】
【００３１】
１００：ラジオ
１１０：放送チャンネル制御装置
１２０：移動通信端末機
２２２，３０４：無線部
２１２，２２０，３０２：メモリ
２０８，２１８，３０６：表示部
２００：ラジオ制御部
２１４：移動通信端末機制御部
２１０，３００：制御部
３１２：ラジオチューナ
２０６，３０８：出力部
３１０：放送信号デコーダ
【図１】
2005130505.tif 000003
【図２】
2005130505.tif 000004
【図３】
2005130505.tif 000005
【図４】
2005130505.tif 000006
【図５】
2005130505.tif 000007